(57)【要約】【課題】  建築物における階上から階下への騒音を防止することができ、またインシュレータのビス留めを行った際でも防音効果が低減することがなく、しかも、取扱いが容易で根太の横ズレも生じ難い遮音性に優れた床構造、及びそれを効率的に施工できる床工法を提供すること。【解決手段】  遮音性に優れた床構造を、ベース板Ｂまたは床スラブＳ上に所定間隔で一列に配置・固定されると共に、盤状本体部11の上部中央に突起部12が形成されたエラストマー製のインシュレータ１・１…と；これら一列に配置されたインシュレータ１・１…と同じ間隔で、盤状本体部11よりも直径が小さく、かつ、突起部12よりも直径が大きい貫通孔21・21…が設けられた根太２と；前記インシュレータ１・１…を複数列配置して並設した根太２・２…上に敷設される床下地材３とから構成した。【選択図】  図１
2014125869.tif 000002
【特許請求の範囲】
【請求項１】
ベース板(Ｂ)または床スラブ(Ｓ)上に所定間隔で一列に配置・固定されると共に、盤状本体部(11)の上部中央に突起部(12)が形成されたエラストマー製のインシュレータ(１)(１)…と；これら一列に配置されたインシュレータ(１)(１)…と同じ間隔で、盤状本体部(11)よりも直径が小さく、かつ、突起部(12)よりも直径が大きい貫通孔(21)(21)…が設けられた根太(２)と；前記インシュレータ(１)(１)…を複数列配置して並設した根太(２)(２)…上に敷設される床下地材(３)とを含んで成ることを特徴とする遮音性に優れた床構造。
【請求項２】
インシュレータ(１)に、突起部(12)上面から盤状本体部(11)底面に抜ける挿通孔(13)を形成して、この挿通孔(13)に止着部材(Ａ)を差し込んでベース板(Ｂ)にインシュレータ(１)を固定可能としたことを特徴とする請求項１記載の遮音性に優れた床構造。
【請求項３】
インシュレータ(１)の突起部(12)の高さが、ベース板(Ｂ)に止着部材(Ａ)で固定したインシュレータ(１)上に根太(２)および床下地材(３)を載置したとき、止着部材(Ａ)の頭部(Ｈ)と床下地材(３)の間に少なくとも2.0mm以上のクリアランスが形成される大きさとなっていることを特徴とする請求項２記載の遮音性に優れた床構造。
【請求項４】
インシュレータ(１)の突起部(12)の高さが根太(２)の厚みの半分以上であることを特徴とする請求項１〜３の何れか一つに記載の遮音性に優れた床構造。
【請求項５】
盤状本体部(11)の上部中央に突起部(12)が形成されたエラストマー製のインシュレータ(１)を、インシュレータ(１)の盤状本体部(11)よりも直径が小さく、かつ、突起部(12)よりも直径が大きい貫通孔(21)(21)…が一列に所定間隔で設けられた根太(２)に、突起部(12)を貫通孔(21)に挿入した状態で固定するステップと；ベース板(Ｂ)または床スラブ(Ｓ)上に、インシュレータ(１)(１)…が固定された根太(２)を載置し、更にインシュレータ(１)の突起部(12)上面から止着部材(Ａ)を差し込んで、インシュレータ(１)をベース板(Ｂ)に固定するステップと；並設した根太(２)(２)…上に床下地材(３)を敷設するステップとを含むことを特徴とする遮音性に優れた床工法。
【請求項６】
盤状本体部(11)の上部中央に突起部(12)が形成されたエラストマー製のインシュレータ(１)を、インシュレータ(１)の盤状本体部(11)よりも直径が小さく、かつ、突起部(12)よりも直径が大きい貫通孔(21)(21)…が一列に所定間隔で設けられた根太(２)に、突起部(12)を貫通孔(21)に挿入した状態で固定するステップと；ベース板(Ｂ)または床スラブ(Ｓ)上に、インシュレータ(１)(１)…が固定された根太(２)を載置すると共に、インシュレータ(１)の盤状本体部(11)底面またはベース板(Ｂ)上面または床スラブ(Ｓ)上面に接着剤(Ｇ)を塗布、若しくはインシュレータ(１)に形成された挿通孔(13)に上側から接着剤(Ｇ)を流し込んで、インシュレータ(１)をベース板(Ｂ)に固定するステップと；並設した根太(２)(２)…上に床下地材(３)を敷設するステップとを含むことを特徴とする遮音性に優れた床工法。
【発明の詳細な説明】
【技術分野】
【０００１】
本発明は、床構造の改良、詳しくは、建築物における階上から階下への騒音を防止することができ、またインシュレータのビス留めを行った際でも防音効果が低減することもなく、しかも、取扱いが容易で根太の横ズレも生じ難い遮音性に優れた床構造、及びそれを効率的に施工できる床工法に関するものである。
【背景技術】
【０００２】
近年、建築物の階上から階下への騒音対策として、床下に中空部を設けて振動を伝え難くしたり、ゴム製のインシュレータを設置して振動を吸収したりする方法が採用されている。また、このような床工法としては、上下の下地材の間、または床スラブと下地材の間に根太とインシュレータを設置する床構造が公知となっている(特許文献１〜４参照)。
【０００３】
しかし、上記文献１に係る技術については、インシュレータを下側の下地材(以下、「ベース板」と呼称)や床スラブに載置するだけの構造であったため、床上から大きな振動を受けた際に、ベース板や床スラブ上でインシュレータが上下に跳ねてしまい、振動エネルギーをインシュレータで効率良く吸収することができないという問題があった。
【０００４】
また、上記文献２に係る技術に関しても、インシュレータとベース板または床スラブの固定を粘着材で行っているものの、根太についてはインシュレータ上に載っているだけの構造であったため、地震等で横揺れが起きた際に、根太がインシュレータから分離して横ズレを起こしてしまう危険があった。
【０００５】
そしてまた、上記文献３に係る技術に関しては、インシュレータとベース板または床スラブの固定、及び根太とインシュレータの固定をビス留めで同時に行えるものの、二種類の防振ゴムを使用する必要があったため、取扱いが面倒であった。またビス留め前に一方の防振ゴムを根太の溝内に挿入しなければならなかっため、施工効率も悪かった。
【０００６】
他方、上記文献４に係る技術についても、文献３に係る技術と同様、ビス留めでインシュレータとベース板または床スラブの固定、及び根太とインシュレータの固定を行うことができるが、この技術では、床上から振動を受けた際、そのエネルギーがビスを通してベース板または床スラブに伝わることで、防音効果が損なわれ易かった。
【先行技術文献】
【特許文献】
【０００７】
【特許文献１】特開平１０−３７４４４号公報
【特許文献２】特開２００６−３２８８９６号公報
【特許文献３】実開平２−３６５４６号公報
【特許文献４】特開平１１−３３６３００号公報
【発明の概要】
【発明が解決しようとする課題】
【０００８】
本発明は、上記の如き問題に鑑みて為されたものであり、その目的とするところは、建築物における階上から階下への騒音を防止することができ、またインシュレータのビス留めを行った際でも防音効果が低減することがなく、しかも、取扱いが容易で根太の横ズレも生じ難い遮音性に優れた床構造、及びそれを効率的に施工できる床工法を提供することにある。
【課題を解決するための手段】
【０００９】
本発明者が上記課題を解決するために採用した手段を添付図面を参照して説明すれば次のとおりである。
【００１０】
即ち、本発明では、遮音性に優れた床構造を、ベース板Ｂまたは床スラブＳ上に所定間隔で一列に配置・固定されると共に、盤状本体部11の上部中央に突起部12が形成されたエラストマー製のインシュレータ１・１…と；これら一列に配置されたインシュレータ１・１…と同じ間隔で、盤状本体部11よりも直径が小さく、かつ、突起部12よりも直径が大きい貫通孔21・21…が設けられた根太２と；前記インシュレータ１・１…を複数列配置して並設した根太２・２…上に敷設される床下地材３とを含んで構成した点に特徴がある。
【００１１】
また、上記インシュレータ１に、突起部12上面から盤状本体部11底面に抜ける挿通孔13を形成して、この挿通孔13に止着部材Ａを差し込んでベース板Ｂにインシュレータ１を固定可能とすれば、ビス留めを容易に行うことができる。
【００１２】
また更に、上記インシュレータ１の突起部12の高さを、ベース板Ｂに止着部材Ａで固定したインシュレータ１上に根太２および床下地材３を載置したとき、止着部材Ａの頭部Ｈと床下地材３の間に少なくとも2.0mm以上のクリアランスが形成される大きさとすれば、床上からの振動を受けた際に、床下地材３と止着部材Ａの頭部Ｈが接触し難くなるため、遮音効果をより高めることができる。
【００１３】
そしてまた、上記インシュレータ１の突起部12の高さを根太２の厚みの半分以上とすることによって、地震時等における根太２の横ズレ防止効果を高めることができる。
【００１４】
また、上記遮音性に優れた床構造を施工する際、盤状本体部11の上部中央に突起部12が形成されたエラストマー製のインシュレータ１を、インシュレータ１の盤状本体部11よりも直径が小さく、かつ、突起部12よりも直径が大きい貫通孔21・21…が一列に所定間隔で設けられた根太２に、突起部12を貫通孔21に挿入した状態で固定するステップと；ベース板Ｂまたは床スラブＳ上に、インシュレータ１・１…が固定された根太２を載置し、更にインシュレータ１の突起部12上面から止着部材Ａを差し込んで、インシュレータ１をベース板Ｂに固定するステップと；並設した根太２・２…上に床下地材３を敷設するステップとを含むようにすることで効率良く行うことができる。
【００１５】
また、接着剤によりインシュレータ１とベース板Ｂまたは床スラブＳとを固定する場合には、インシュレータ１と根太２を固定した後、ベース板Ｂまたは床スラブＳ上に、インシュレータ１・１…が固定された根太２を載置すると共に、インシュレータ１の盤状本体部11底面またはベース板Ｂ上面または床スラブＳ上面に接着剤Ｇを塗布、若しくはインシュレータ１に形成された挿通孔13の上側から接着剤Ｇを流しこんで、インシュレータ１をベース板Ｂに固定し、更に並設した根太２・２…上に床下地材３を敷設する方法を採用することができる。
【発明の効果】
【００１６】
本発明では、ベース板または床スラブと、床下地材との間に根太を設置して床下に中空部を設けると共に、根太の下側にインシュレータを所定間隔で配置して、ベース板または床スラブにビス若しくは接着剤でしっかりと固定したことによって、インシュレータの跳ねを防止することができるため、床上から大きな振動を受けた場合でも、振動エネルギーが効率良く吸収して優れた防音効果を得ることができる。
【００１７】
しかも、本発明では、根太の貫通孔にインシュレータの突起部を挿入して固定する構造を採用したことによって、インシュレータに対する根太の横方向の移動を制止することができるため、地震等で大きな横揺れが起こった場合でも、根太がインシュレータから分離して横ズレするような心配もない。
【００１８】
そしてまた、上記インシュレータをベース板または床スラブにビス留めにより固定する場合においても、インシュレータの突起部の中央に差し込んだビスの頭部と床下地材の間に最低限のクリアランスを設けておけば、床上からの振動がビスを伝ってベース板や床スラブに伝わる心配もないため、防音効果が損なわれることもない。
【００１９】
また更に、上記インシュレータについては、複数種類の防振ゴムを使用する必要はなく一種類の防振ゴムで足りるため取扱いも容易となる。また、予めインシュレータと根太を固定した状態で、ベース板または床スラブ上に配置・固定すれば、間隔を測ってインシュレータを配置する必要がなくなるため、効率的に施工を行える。
【００２０】
したがって、本発明により、建築物の階上から階下への騒音を効果的に防止することができ、また根太の横ズレ等の構造的な問題も解消することが可能で、しかも、施工コストに直結する施工作業の効率化も図れる遮音性に優れた床構造を提供できることから、本発明の実用的利用価値は頗る高い。
【図面の簡単な説明】
【００２１】
【図１】本発明の実施例１における床構造を表わす断面図ある。
【図２】本発明の実施例１における根太とインシュレータの形状を表わす分解斜視図である。
【図３】本発明の実施例１における根太にインシュレータを固定した状態を表わす全体斜視図である。
【図４】本発明の実施例１における根太上に床下地材およびフローリング材を敷設した状態を表わす拡大斜視図である。
【図５】本発明の実施例２における床構造を表わす断面図である。
【図６】本発明の実施例２におけるインシュレータの底面形状を表わす側面図及び底面図である。
【図７】本発明の実施例３における床構造を表わす断面図である。
【図８】本発明の実施例３における根太とインシュレータの形状を表わす分解斜視図である。
【図９】本発明の実施例３における根太にインシュレータを固定した状態を表わす全体斜視図である。
【図１０】本発明の実施例３における根太上に床下地材およびフローリング材を敷設した状態を表わす拡大斜視図である。
【図１１】本発明の実施例４におけるインシュレータを接着した状態を表わす状態説明図である。
【図１２】本発明の実施例４におけるインシュレータの底面形状を表わす側面図及び底面図である。
【発明を実施するための形態】
【００２２】
『実施例１』
まず本発明の実施例１について、図１から図４に基いて以下に説明する。なお同図において、符号１で指示するものは、インシュレータであり、符号２で指示するものは、根太である。また符号３で指示するものは、床下地材である。
【００２３】
［床構造について］
この実施例１では、ベース板Ｂ上に、盤状本体部11の上部中央に突起部12が形成されたエラストマー製のインシュレータ１・１…を所定間隔で一列に配置すると共に、これら一列に配置したインシュレータ１・１…上に、インシュレータ１・１…と同じ間隔で、盤状本体部11よりも直径が小さく、かつ、突起部12よりも直径が大きい貫通孔21・21…が設けられた根太２を、貫通孔21にインシュレータ１の突起部12を挿入した状態で載置している(図１、図２参照)。
【００２４】
なお本実施例では、上記インシュレータ１と根太２を、インシュレータ１の底面から止着部材Ａであるビスを差し込んで固定しているが、接着剤を併用してより強固に固定することもできる。また、取り付けたビスは、インシュレータ１の底面から少し浮いた状態とすることでインシュレータ１の機能が損なわれないようにしている。
【００２５】
また、上記インシュレータ１には、突起部12上面から盤状本体部11底面に抜ける挿通孔13を形成して、この挿通孔13に止着部材Ａを差し込んでベース板Ｂにインシュレータ１を固定している。なおこの際、ワッシャＷを使用することで止着部材Ａの頭部Ｈのインシュレータ１への食い込みを抑制できる。また本実施例では、上記止着部材Ａにビス、ベース板Ｂに下地合板を使用している。
【００２６】
そして、上記インシュレータ１・１…を複数列配置して並設した根太２・２…上には、床下地材３・３…及びフローリング材Ｆ・Ｆ…を敷設している。これによって遮音性に優れた床を構築することができる。なお本実施例では、根太３に木製のものを使用しているが発泡樹脂製のものを使用することもできる。また、床下地材３には、合板を使用しているがパーティクルボード等の他の木質材料を使用することもできる。
【００２７】
また本実施例では、上記インシュレータ１の突起部12の高さを、ベース板Ｂに止着部材Ａで固定したインシュレータ１上に根太２および床下地材３を載置したとき、止着部材Ａの頭部Ｈと床下地材３の間に5mmのクリアランスＣが形成される大きさとしている。これによって、床上からの振動を受けた際に、床下地材３と止着部材Ａの頭部Ｈが接触し難くなり、遮音効果が高まる。
【００２８】
ちなみに、上記クリアランスＣについては、止着部材Ａを固定した際にインシュレータ１の突起部12が沈み込んで2〜3mm大きくなるが、最低でも沈み込み前の状態で2.0mm以上のクリアランスＣを形成するのが望ましく、理想的には5mm以上のクリアランスＣを形成するのが望ましい。
【００２９】
また、その他の寸法についても触れておくと、本実施例では、インシュレータ１の突起部12の直径を17.5mm、突起部12の高さを23mm、根太２の厚みを28mm、根太２の貫通孔21の直径を18mm、止着部材Ａの頭部Ｈの直径を11.8mm、止着部材Ａの頭部Ｈの厚みを3.1mmとしている。なお根太２の厚みは、耐荷重性の観点から20mm以上、好ましくは25〜50mmが望ましい。
【００３０】
また本実施例では、上記寸法で示すようにインシュレータ１の突起部12の高さを根太２の厚みの半分以上としているため、地震等で建築物に横揺れが起きた場合でも、根太２の横方向の移動を制止して横ズレを防止することができる。なお、インシュレータ１の突起部12の高さは、根太２の厚みの４分の３以上とすることがより好ましい。
【００３１】
[床工法(ビス留め式)について]
次に、上記床構造の施工方法について以下に説明する。まず、図３に示すように、インシュレータ１の突起部12を、根太２の貫通孔21に挿入した状態でビス留めして固定する。その後、ベース板Ｂ上に、インシュレータ１・１…を固定した根太２を載置し、更にインシュレータ１の突起部12上面側から挿通孔13に止着部材Ａを差し込んで、インシュレータ１をベース板Ｂに固定する。
【００３２】
そして、上記インシュレータ１・１…を固定した根太２・２…をベース板Ｂ上に並設した後、これらの根太２・２…上に、図４に示すように床下地材３及びフローリング材Ｆを敷設して施工を完了する。この工法を採用することによって、ベース板Ｂ上に多数のインシュレータ１・１…を、位置を確認しながら配置する必要がなくなるため、効率良く施工作業を行うことができる。
【００３３】
『実施例２』
次に本発明の実施例２について、図５及び図６に基いて以下に説明する。この実施例２では、インシュレータ１・１…を床スラブＳ上に接着剤Ｇで固定して床を構築している(図５参照)。なおインシュレータ１は、上記実施例１と同じものを使用しているが、図６に示すように底面に十字の溝部14・14を形成しており、この溝部14・14に接着剤Ｇが入り込ませてアンカー効果により床スラブＳとインシュレータ１の接着効果を高めている。
【００３４】
[床工法(接着式)について]
次に、上記接着剤Ｇを用いてインシュレータ１を床スラブＳに固定する方法について説明する。まず一つ目の方法としては、インシュレータ１・１…を根太２を固定した後、インシュレータ１の盤状本体部11底面に接着剤Ｇを塗布し、このインシュレータ１・１…を固定した根太２を床スラブＳ上に載置して接着する方法が挙げられる。
【００３５】
また二つ目の方法としては、インシュレータ１・１…を根太２を固定した後、床スラブＳ上面に予め接着剤Ｇを塗布しておき、この塗布した接着剤Ｇ上にインシュレータ１の盤状本体部11が載るように、インシュレータ１・１…を固定した根太２を載置する方法が挙げられる。
【００３６】
また三つ目の方法として、インシュレータ１・１…を根太２を固定して、このインシュレータ１・１…を固定した根太２を床スラブＳ上に載置した後、インシュレータ１に形成された挿通孔13の上側から接着剤Ｇを流し込んで、インシュレータ１をベース板Ｂに接着する方法が挙げられる。
【００３７】
なお、上記三つ目の方法で接着を行う場合には、接着剤Ｇは挿通孔13から溝部14・14を流れて盤状本体部11の周囲を覆うように外側まで食み出た状態となる。また、上記何れかの方法でインシュレータ１・１…を床スラブＳに固定した後は、実施例１と同様、並設した根太２・２…上に床下地材３を敷設して施工を完了する。
【００３８】
『実施例３』
まず本発明の実施例３について、図７〜図１０に基いて以下に説明する。この実施例３では、根太２よりも若干幅が大きい四角形型の盤状本体部11を備えたインシュレータ１を使用すると共に、このインシュレータ１の盤状本体部11上面の対向する二辺に側壁部15・15を形成して、この側壁部15・15でで根太２を挟み込んでいる(図７、図８参照)。これによって、根太２の横ズレ防止効果がより高めることが可能となる。
【００３９】
[床工法(ビス留め式)について]
次に、上記床構造の施工方法について以下に説明する。まず、図９に示すように、インシュレータ１の突起部12を根太２の貫通孔21に挿入し、側壁部15・15で根太２を挟み込んだ状態で両者を接着して固定する。その後、ベース板Ｂ上に、インシュレータ１・１…を固定した根太２を載置し、止着部材Ａでインシュレータ１をベース板Ｂに固定する。
【００４０】
そして、実施例１の施工方法と同様に、上記インシュレータ１・１…を固定した根太２・２…をベース板Ｂ上に並設した後、これらの根太２・２…上に、図１０に示すように床下地材３及びフローリング材Ｆを敷設して施工を完了する。
【００４１】
『実施例４』
次に本発明の実施例４について、図１１及び図１２に基いて以下に説明する。この実施例４では、上記実施例２と同様に、インシュレータ１を床スラブＳに接着剤Ｇで固定して床を構築している(図１１参照)。またインシュレータ１は、上記実施例３と同じものを使用しているが、図１２に示すように底面に十字および環状の溝部14・14…を形成することによって、より接着効果を高めている。
【００４２】
また本実施例では、上記十字の溝部14・14の両端部の幅を拡げているため、インシュレータ１の挿通孔13の上側から接着剤Ｇを流し込んだ際、十字の溝部14・14を通って外側に流れ出る接着剤Ｇが、インシュレータ１の盤状本体部11の外周を覆い易くなる。そのため、接着効果をより高めることができる。
【００４３】
本発明は、概ね上記のように構成されるが、本発明は図示の実施形態に限定されるものでは決してなく、「特許請求の範囲」の記載内において種々の変更が可能であって、例えば、インシュレータ１をベース板Ｂに接着して固定することもでき、またインシュレータ１を止着部材Ａ(アンカーボルト)で床スラブＳに固定することもできる。
【００４４】
また、インシュレータ１の材料については、エラストマー材料であればよく、合成ゴムや天然ゴム以外にも熱可塑性エラストマー等も採用することができる。またベース板Ｂや床下地パネル３の材料に関しても、適当な耐荷重性を有する材料であれば、合板やパーティクルボード以外の材料も使用できる。
【００４５】
また更に、インシュレータ１の底面に形成する溝部14・14に関しても、接着面積が増える凹凸形状であればよく、例えば溝部14・14の代わりに複数の穴部を形成することもできる。また、インシュレータ１とベース板Ｂとを固定する止着部材Ａについても、ビスでなく釘等を使用することもでき、上記何れのものも本発明の技術的範囲に属する。
【産業上の利用可能性】
【００４６】
最近では、マンションや一般住宅等において階下への防音対策が大きな課題となっており、二重床やインシュレータを用いた床構造が多くの建築物で採用されている。そのような中で、本発明の遮音性に優れた床構造および床工法は、遮音性に優れるだけでなく施工作業の効率化も図れる有用な技術であるため、その産業上の利用価値は非常に高い。
【符号の説明】
【００４７】
１  インシュレータ
11  盤状本体部
12  突起部
13  挿通孔
14  溝部
15  側壁部
２  根太
21  貫通孔
３  床下地材
Ｂ  ベース板
Ｓ  床スラブ
Ｐ  床下地材
Ｆ  フローリング材
Ａ  止着部材
Ｈ  頭部
Ｗ  ワッシャ
Ｃ  クリアランス
Ｇ  接着剤
【図１】
2014125869.tif 000003
【図２】
2014125869.tif 000004
【図３】
2014125869.tif 000005
【図４】
2014125869.tif 000006
【図５】
2014125869.tif 000007
【図６】
2014125869.tif 000008
【図７】
2014125869.tif 000009
【図８】
2014125869.tif 000010
【図９】
2014125869.tif 000011
【図１０】
2014125869.tif 000012
【図１１】
2014125869.tif 000013
【図１２】
2014125869.tif 000014